(57)【要約】【課題】  様々な形状の手工具を掛止することができる手工具用掛止ホルダーを提供する。【解決手段】  ベースロッドと、該ベースロッドに摺動可能に設けられる複数の摺動ブロックとを有し、該ベースロッドに固定部材を設置するために固定孔が形成され、該摺動ブロックの一側にベースロッドに位置決めるためＣ字形の位置決めリングが設けられることを特徴とする。【選択図】        図１
2006341335.tif 000002
【特許請求の範囲】
【請求項１】
ベースロッドと、該ベースロッドに摺動可能に設けられる摺動ブロックとを有し、該ベースロッドに固定部材を設置するために固定孔が形成され、該摺動ブロックの一側にベースロッドに位置決めるためＣ字形の位置決めリングが設けられることを特徴とする手工具用掛止ホルダー。
【請求項２】
前記ベースロッドの上側と下側に位置決め歯部が設けられ、前記位置決めリングの内側に位置決め歯部に対応する位置決め凸部が設けられ、前記隣接の摺動ブロックの相対側に位置決め凹部が形成されることを特徴とする請求項１に記載の手工具用掛止ホルダー。
【請求項３】
前記摺動ブロックの自由端に上方へ突出する位置決めブロックが設けられることを特徴とする請求項１又は２に記載の手工具用掛止ホルダー。
【請求項４】
前記摺動ブロックに挿入孔が形成されることを特徴とする請求項１に記載の手工具用掛止ホルダー。
【発明の詳細な説明】
【技術分野】
【０００１】
本発明は、特に様々な形状の手工具を掛止することができる手工具用掛止ホルダーに関するものである。
【背景技術】
【０００２】
手工具、例えばドライバー、レンチ、ペンチ又はハンマーを使用しない時は、掛止ホルダーに掛止することによって片付けるのが一般的である。図１０に示すように、従来の手工具用掛止ホルダーは、固定孔（６１）が形成される固定プレート（６０）を有し、該固定プレート（６０）の側面にレール（６２）が設けられ、該レール（６２）に弾性を有する摺動可能な複数の位置決めバンド（６３）が設置される構成である。 
又、図１１に示すように、前記手工具用掛止ホルダーを使用する場合は、ねじ等の固定部材を固定孔（６１）に貫通させ、該固定プレート（６０）を壁に固定し、手工具（７０）を隣接する位置決めバンド（６３）により挟持することにより、該手工具（７０）を壁に掛止する。尚、前記手工具用掛止ホルダーは一般によく使用されるものであるから、特に特許文献又は非特許文献には記載されていなかった。
【発明の開示】
【発明が解決しようとする課題】
【０００３】
しかしながら、前記従来の手工具用掛止ホルダーは、位置決めバンド（６３）の弾力によって手工具（７０）を挟持することから、挟持された手工具（７０）がこの弾力によって飛び出す恐れがあるので、非常に危険である。 
そこで、提案されたのが本発明であって、様々な形状の手工具を掛止することができる手工具用掛止ホルダーを提供することを目的としている。
【課題を解決するための手段】
【０００４】
本願の請求項１の発明は、ベースロッドと、該ベースロッドに摺動可能に設けられる摺動ブロックとを有し、該ベースロッドに固定部材を設置するために固定孔が形成され、該摺動ブロックの一側にベースロッドに位置決めるためＣ字形の位置決めリングが設けられることを特徴とする手工具用掛止ホルダー、を提供する。 
本願の請求項２の発明は、前記ベースロッドの上側と下側に位置決め歯部が設けられ、前記位置決めリングの内側に位置決め歯部に対応する位置決め凸部が設けられ、前記隣接の摺動ブロックの相対側に位置決め凹部が形成されることを特徴とする請求項１に記載の手工具用掛止ホルダー、を提供する。 
本願の請求項３の発明は、前記摺動ブロックの自由端に上方へ突出する位置決めブロックが設けられることを特徴とする請求項１又は２に記載の手工具用掛止ホルダー、を提供する。 
本願の請求項４の発明は、前記摺動ブロックに挿入孔が形成されることを特徴とする請求項１に記載の手工具用掛止ホルダー、を提供する。
【発明の効果】
【０００５】
本発明は上記の課題を解決するものであり、ベースロッドに摺動可能な複数の摺動ブロックが設けられることにより、手工具の挟持や掛止効果を提供することができる。
【発明を実施するための最良の形態】
【０００６】
以下、添付図面を参照して本発明の好適な実施の形態を詳細に説明する。 
図１は本発明に係る手工具用掛止ホルダーの第１実施例の使用状態を示す分解斜視図であり、図２は本発明に係る手工具用掛止ホルダーの第１実施例の摺動ブロックを示す斜視図であり、図３は本発明に係る手工具用掛止ホルダーの第１実施例の摺動ブロックとベースロッドとの結合状態を示す断面図であり、図４は本発明に係る手工具用掛止ホルダーの第１実施例を示す部分断面図であり、図５本発明に係る手工具用掛止ホルダーの第１実施例の使用状態を示す斜視図であり、図６は本発明に係る手工具用掛止ホルダーの第２実施例の使用状態を示す斜視図であり、図７は本発明に係る手工具用掛止ホルダーの第２実施例の摺動ブロックを示す斜視図であり、図８は本発明に係る手工具用掛止ホルダーの第３実施例の使用状態を示す分解斜視図であり、図９は本発明に係る手工具用掛止ホルダーの第３実施例の摺動ブロックを示す斜視図である。 
【実施例１】
【０００７】
図１乃至図４に示すように、本発明に係る手工具用掛止ホルダーは、ベースロッド（１０）と、該ベースロッド（１０）に摺動可能に設けられる複数の摺動ブロック（１１）とを有し、該ベースロッド（１０）にねじ等の固定部材を設置するために固定孔（１２）が形成されると共に、上側と下側に位置決め歯部（１３）が設けられ、該摺動ブロック（１１）の一側にベースロッド（１０）に位置決めるためＣ字形の位置決めリング（１４）が設けられると共に、該位置決めリング（１４）の内側に位置決め歯部（１３）に対応する位置決め凸部（１６）が設けられ、又、隣接の摺動ブロック（１１）の相対側に位置決め凹部（１５）が形成される。 
図５に示すように、本考案に係る手工具用掛止ホルダーを使用する場合、先ずねじなどの固定部材をベースロッド（１０）の固定孔（１２）に貫通させることにより、該ベースロッド（１０）を壁面又は掛止用プレート（３０）に固定し、位置きめ凸部（１６）と所定の位置決め歯部（１３）との係合によって該摺動ブロック（１１）を調整すると共に、隣合う位置決め凹部（１５）によってベンチ、ドライバーなどの手工具（１７）を挟持させることにより、該手工具（１７）を掛止する。 
【実施例２】
【０００８】
図６及び図７に示すように、本考案に係る手工具用掛止ホルダーの第２実施例は、前記実施例と殆ど等しく、異なるのは、前記摺動ブロック（１１）の自由端に上方へ突出する位置決めブロック（１８）が設けられることにより、手工具（１７）を該摺動ブロック（１１）に掛止する際、これら位置決めブロック（１８）によって手工具（１７）を摺動ブロック（１１）から脱落することを防止できる。 
【実施例３】
【０００９】
図８及び図９に示すように、本考案に係る手工具用掛止ホルダーの第３実施例は、前記第１実施例と殆ど等しく、異なるのは、該摺動ブロック（１１）に手工具（１７）を挿入するための挿入孔（１９）が形成され、ドライバーなどの手工具（１７）を摺動ブロック（１１）の挿入孔（１９）に挿入させることにより、手工具（１７）を掛止する。
【産業上の利用可能性】
【００１０】
本発明は上記の構成を有するので、ベースロッドに摺動可能な複数の摺動ブロックが設けられることにより、手工具の挟持や掛止効果を提供することができる。
【図面の簡単な説明】
【００１１】
【図１】本発明に係る手工具用掛止ホルダーの第１実施例の使用状態を示す分解斜視図である。
【図２】本発明に係る手工具用掛止ホルダーの第１実施例の摺動ブロックを示す斜視図である。
【図３】本発明に係る手工具用掛止ホルダーの第１実施例の摺動ブロックとベースロッドとの結合状態を示す断面図である。
【図４】本発明に係る手工具用掛止ホルダーの第１実施例を示す部分断面図である。
【図５】本発明に係る手工具用掛止ホルダーの第１実施例の使用状態を示す斜視図である。
【図６】本発明に係る手工具用掛止ホルダーの第２実施例の使用状態を示す斜視図である。
【図７】本発明に係る手工具用掛止ホルダーの第２実施例の摺動ブロックを示す斜視図である。
【図８】本発明に係る手工具用掛止ホルダーの第３実施例の使用状態を示す分解斜視図である。
【図９】本発明に係る手工具用掛止ホルダーの第３実施例の摺動ブロックを示す斜視図である。
【図１０】従来の手工具用掛止ホルダーを示す斜視図である。
【図１１】従来の手工具用掛止ホルダーの使用状態を示す斜視図である。
【符号の説明】
【００１２】
１０        ベースロッド
１１        摺動ブロック
１２        固定孔
１３        位置決め歯部
１４        位置決めリング
１５        位置決め凹部
１６        位置決め凸部
１７        手工具
１８        位置決めブロック
１９        挿入孔
３０        掛止用プレート
６０        固定プレート
６１        固定孔
６２        レール
６３        位置決めバンド
７０        手工具
【図１】
2006341335.tif 000003
【図２】
2006341335.tif 000004
【図３】
2006341335.tif 000005
【図４】
2006341335.tif 000006
【図５】
2006341335.tif 000007
【図６】
2006341335.tif 000008
【図７】
2006341335.tif 000009
【図８】
2006341335.tif 000010
【図９】
2006341335.tif 000011
【図１０】
2006341335.tif 000012
【図１１】
2006341335.tif 000013